【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
円盤状カッター本体（２２）と、そこに取り外し可能に保持された複数の支持パッド（２４、２４’）と
を含む、カッター本体アセンブリ（２０、２０’）であって、
前記カッター本体（２２）は、回転軸（Ｒ）と、前記回転軸（Ｒ）の周りでの回転方向（ＤＲ）と、２つの対向する端面（２６ａ、２６ｂ）と、これら端面間に延在する本体周囲面（２８）とを有し、および
前記複数の支持パッド（２４、２４’）のそれぞれは、前記２つの対向する端面（２６ａ、２６ｂ）のうちの一方から突出し、
前記回転軸（Ｒ）に対して垂直な中間面（Ｍ）は、前記本体周囲面（２８）と交差し、および２つの環状の平面（Ｐ１）は、前記中間面（Ｍ）の両側から第１の距離（Ｄ１）だけ等距離でオフセットしており、および
前記複数の支持パッド（２４、２４’）のそれぞれは、前記２つの環状の平面（Ｐ１）のうちの一方と交差し、および前記カッター本体（２２）は、前記２つの環状の平面（Ｐ１）のいずれとも交差しない、カッター本体アセンブリ（２０、２０’）。
【請求項２】
前記本体周囲面（２８）が、前記複数の支持パッド（２４、２４’）と数が等しい複数の円周方向に離間した本体凹部（３０）を有し、および
前記中間面（Ｍ）は、前記複数の本体凹部（３０）のそれぞれと交差する、請求項１に記載のカッター本体アセンブリ（２０、２０’）。
【請求項３】
前記複数の本体凹部（３０）のそれぞれが、前記２つの対向する端面（２６ａ、２６ｂ）の少なくとも一方に開口する、請求項２に記載のカッター本体アセンブリ（２０、２０’）。
【請求項４】
前記複数の本体凹部（３０）のそれぞれが、対向する両端面（２６ａ、２６ｂ）に開口する、請求項２に記載のカッター本体アセンブリ（２０、２０’）。
【請求項５】
前記複数の支持パッド（２４、２４’）の全てが同じ環状の平面（Ｐ１）と交差するわけではない、請求項１〜４のいずれか１項に記載のカッター本体アセンブリ（２０、２０’）。
【請求項６】
前記複数の支持パッド（２４、２４’）が互いに同一であり、および
等しい数の支持パッド（２４、２４’）が、前記２つの環状の平面（Ｐ１）のそれぞれと交差する、請求項５に記載のカッター本体アセンブリ（２０、２０’）。
【請求項７】
円周方向に隣接する２つの支持パッド（２４、２４’）が、異なる環状の平面（Ｐ１）と交差する、請求項５または６に記載のカッター本体アセンブリ（２０、２０’）。
【請求項８】
前記カッター本体（２２）が、前記複数の支持パッド（２４、２４’）を取り付けかつ割り出すための複数のパッドポケット（４０）を有し、および各支持パッド（２４、２４’）は、前記中間面（Ｍ）から第２の距離（Ｄ２）に配置された軸方向最外点（Ｎｏ）を有し、および
各支持パッド（２４、２４’）は、その関連のパッドポケット（４０）において割り出し可能であり、前記第２の距離（Ｄ２）を増減させる、請求項１〜７のいずれか１項に記載のカッター本体アセンブリ（２０、２０’）。
【請求項９】
前記第２の距離（Ｄ２）が前記第１の距離（Ｄ１）以上である、請求項８に記載のカッター本体アセンブリ（２０、２０’）。
【請求項１０】
各パッドポケット（４０）が、前記中間面（Ｍ）に対して非平行である平面的な座面（４２）を有し、および各支持パッド（２４）は、互いに対向する上面および下面（４４、４６）およびそれらの間に延在するパッド周囲面（４８）を有し、および
各下面（４６）は、前記支持パッド（２４、２４’）の各割り出し位置においてその関連の座面（４２）に当接する、請求項８または９に記載のカッター本体アセンブリ（２０、２０’）。
【請求項１１】
各支持パッド（２４、２４’）が、その関連の座面（４２）に対して垂直なポケット軸（Ａ１）の周りで割り出し可能である、請求項１０に記載のカッター本体アセンブリ（２０、２０’）。
【請求項１２】
各座面（４２）が、前記中間面（Ｍ）と鋭角の第１の傾斜角度（α１）を形成し、および
前記第１の傾斜角度（α１）は、２０度未満の値を有する、請求項１０または１１に記載のカッター本体アセンブリ（２０、２０’）。
【請求項１３】
円盤状カッター本体（２２）に取り外し可能に保持できる支持パッド（２４、２４’）であって、
互いに対向する上面および下面（４４、４６）と、それらの間に延在するパッド周囲面（４８）と
を含み、
前記下面（４６）は、平面的であり、かつ前記カッター本体（２２）のパッドポケット（４０）の関連の座面（４２）に当接するように構成され、および
前記パッド周囲面（４８）は、前記上面（４４）と交差する上部（５０）を有し、
前記上部（５０）は、パッド軸（Ａ２）の周りでＮ回の回転対称性を示し、および
前記パッド軸（Ａ２）は、前記下面（４６）に対して非垂直である、支持パッド（２４、２４’）。
【請求項１４】
Ｎが少なくとも３の値である、請求項１３に記載の支持パッド（２４、２４’）。
【請求項１５】
前記上面（４４）が凸状であり、および工作物（７８）の機械加工面（７６ａ、７６ｂ）と動作接触するように構成されている、請求項１３または１４に記載の支持パッド（２４、２４’）。
【請求項１６】
円盤状カッター本体（２２）と、そこに取り外し可能に保持される複数の支持パッド（２４）とを含む、カッター本体アセンブリ（２０）であって、
前記カッター本体（２２）は、回転軸（Ｒ）と、前記回転軸（Ｒ）の周りでの回転方向（ＤＲ）と、２つの対向する端面（２６ａ、２６ｂ）と、それらの間に延在する本体周囲面（２８）とを有する、カッター本体アセンブリ（２０）と、
前記カッター本体（２２）に取り外し可能に保持され、かつ前記本体周囲面（２８）の周りで円周方向に離間している、複数の切削インサート（３２）と
を含む、切削工具（７０）であって、
前記回転軸（Ｒ）に対して垂直な中間面（Ｍ）は、前記本体周囲面（２８）と交差し、
前記複数の支持パッド（２４）のそれぞれが、工作物（７８）の機械加工面（７６ａ、７６ｂ）と動作接触するように構成され、および
前記機械加工面（７６ａ、７６ｂ）は、前記回転軸（Ｒ）に対して垂直である、切削工具（７０）。
【請求項１７】
支持パッド（２４）の総数と切削インサート（３２）の総数とが等しい、請求項１６に記載の切削工具（７０）。
【請求項１８】
前記中間面（Ｍ）の両側から第１の距離（Ｄ１）だけ等距離でオフセットする２つの環状の平面（Ｐ１）を有し、
前記複数の支持パッド（２４）のそれぞれは、前記２つの対向する端面（２６ａ、２６ｂ）の一方から突出し、かつ前記２つの環状の平面（Ｐ１）の一方と交差し、および
前記カッター本体（２２）は、前記２つの環状の平面（Ｐ１）のいずれとも交差しない、請求項１６または１７に記載の切削工具（７０）。
【請求項１９】
前記複数の支持パッド（２４）の全てが同じ環状の平面（Ｐ１）と交差するわけではない、請求項１８に記載の切削工具（７０）。
【請求項２０】
前記複数の切削インサート（３２）のそれぞれの動作切れ刃（８０）が、前記２つの環状の平面（Ｐ１）の正確に１つと、また中間交点（ＩＭ）において前記中間面（Ｍ）と交差する、請求項１８または１９に記載の切削工具（７０）。
【請求項２１】
前記複数の動作切れ刃（８０）の全てが、同じ環状の平面（Ｐ１）と交差するわけではない、請求項２０に記載の切削工具（７０）。
【請求項２２】
前記カッター本体（２２）が、前記複数の支持パッド（２４）を取り付けかつ割り出すための複数のパッドポケット（４０）を有し、および各支持パッド（２４）は、前記中間面（Ｍ）から第２の距離（Ｄ２）に配置された軸方向最外点（Ｎｏ）を有し、および
各支持パッド（２４）は、その関連のパッドポケット（４０）において割り出し可能であり、前記第２の距離（Ｄ２）を増減させる、請求項１８〜２１のいずれか１項に記載の切削工具（７０）。
【請求項２３】
回転軸（Ｒ）と、前記回転軸（Ｒ）の周りでの回転方向（ＤＲ）とを有する円盤状カッター本体（２２）であって；
前記カッター本体（２２）は、外側環状本体部分（２３）に接続される中心ハブ（３６）と、２つの対向する端面（２６ａ、２６ｂ）と、前記２つの対向する端面（２６ａ、２６ｂ）間に延在する本体周囲面（２８）と、前記本体周囲面（２８）の周りで円周方向に離間した複数のインサート収容ポケット（７４）とを含む、円盤状カッター本体（２２）と；
前記外側環状本体部分（２３）の軸方向外側に突出する複数の支持パッド（２４、２４’）であって、各支持パッド（２４、２４’）は、前記本体周囲面（２８）の半径方向内側に配置される、複数の支持パッド（２４、２４’）と
を含む、カッター本体アセンブリ（２０、２０’）。
【請求項２４】
前記支持パッド（２４、２４’）が、前記対向する両端面（２６ａ、２６ｂ）の前記外側環状本体部分（２３）に設けられ；および
前記支持パッド（２４、２４’）のそれぞれは、前記対向する端面（２６ａ、２６ｂ）の一方に形成されたパッドポケット（４０）に取り外し可能に保持される、請求項２３に記載のカッター本体アセンブリ（２０、２０’）。
【請求項２５】
請求項２３に記載のカッター本体アセンブリ（２０、２０’）と；
前記インサート収容ポケット（７４）に取り外し可能に保持された複数の切削インサート（３２）であって、各切削インサート（３２）は、動作切れ刃（８０）を有し、前記切削インサートは、集合的に、前記切削工具（７０）のスロット幅（Ｗ）を規定する、複数の切削インサート（３２）と
を含む、切削工具（７０）であって、
前記支持パッド（２４、２４’）は、前記対向する両端面（２６ａ、２６ｂ）の前記外側環状本体部分（２３）に設けられ；および
前記支持パッド（２４、２４’）は、集合的に、前記スロット幅（Ｗ）に対応する軸方向範囲を有する、切削工具（７０）。